(57)【要約】      （修正有）【課題】スピーカーを備えるヘッドホンを提供する。【解決手段】ヘッドホン１００は、ヘッドバンド１０及び音出力モジュール３０を備える。音出力モジュール３０は、ヘッドバンド１０の端部に装着され且つハウジング及びスピーカーを含み、ハウジング及びスピーカーは対向するように一体に固定され、且つ切り換えられて使用される。【選択図】図１
0003196657.tif 000002
【実用新案登録請求の範囲】
【請求項１】
ヘッドバンド及び音出力モジュールを備えるヘッドホンであって、
前記音出力モジュールは、前記ヘッドバンドの端部に装着され且つハウジング及びスピーカーを含み、前記ハウジング及び前記スピーカーは、対向するように一体に固定され、且つ切り換えられて使用されることを特徴とするヘッドホン。
【請求項２】
前記ヘッドホンは、連接部品をさらに備え、前記連接部品は、前記ヘッドバンドに対して伸縮可能に且つ回転可能に前記ヘッドバンドの端部に装着され、前記音出力モジュールは、前記連接部品に固定されることを特徴とする請求項１に記載のヘッドホン。
【請求項３】
前記ヘッドバンドは、２つの端面に取付孔がそれぞれ設けられた本体部を含み、前記連接部品は、互いに連結された連接アーム及び連接端を含む第一連接部を備え、
前記第一連接部の前記連接アームは、前記本体部に対して伸縮可能に且つ回転可能に前記取付孔内に装着されることを特徴とする請求項２に記載のヘッドホン。
【請求項４】
前記連接部品は、前記第一連接部に連結された第二連接部をさらに備え、前記第二連接部は、固定部及び装着部を含み、前記固定部は、前記連接端に固定され、前記音出力モジュールは、前記装着部に装着されることを特徴とする請求項３に記載のヘッドホン。
【請求項５】
前記装着部は、中空の環状構造であり、前記ハウジング及び前記スピーカーは、前記装着部の両側に装着されることを特徴とする請求項４に記載のヘッドホン。
【請求項６】
前記ヘッドホンは、回路機能モジュールをさらに備え、前記回路機能モジュールは、前記ヘッドバンドに設けられ且つ前記音出力モジュールと電気的に接続されることを特徴とする請求項１から５のいずれか一項に記載のヘッドホン。
【請求項７】
前記回路機能モジュールは、切換スイッチを含み、前記切換スイッチは、前記音出力モジュールの前記ハウジングと前記スピーカーとを切り換え、前記ハウジング又は前記スピーカーを起動することを特徴とする請求項６に記載のヘッドホン。
【請求項８】
前記回路機能モジュールは、プロセッサと、前記プロセッサにそれぞれ電気的に接続されているデータ端子、メモリカードスロット、音声入力端子及び通信モジュールと、をさらに含み、
前記プロセッサは、前記ヘッドバンドの本体部の内部に設けられ、前記データ端子は、電子装置に電気的に接続されて、データ、音響信号を伝送するか又は外部の電源に挿入されて充電され、
前記メモリカードスロットには、データを格納するためのメモリーカードが装着され、前記音声入力端子は、ユーザからの音声情報を受信することを特徴とする請求項７に記載のヘッドホン。
【考案の詳細な説明】
【技術分野】
【０００１】
本考案は、ヘッドホンに関し、特にスピーカーを備えるヘッドホンに関するものである。
【背景技術】
【０００２】
現在、多くのユーザが携帯式電子装置で音楽を聴いているが、あるユーザは、さらに音質を高めるために、音漏れ防止効果に優れたヘッドホンを使用している。従来のヘッドホンは、音楽を外へ流すことはできない。即ち、ユーザは、ヘッドホンを耳に被せてしか、音楽を聴くことができない。従って、音楽を外へ流したい場合は、携帯式電子装置を他の音響装置に接続しなければならないため、非常に不便である。
【考案の概要】
【考案が解決しようとする課題】
【０００３】
そこで、本考案は上記の問題点を考慮してなされたものであり、スピーカーを備えるヘッドホンを提供することを目的とする。
【課題を解決するための手段】
【０００４】
上記の課題を解決するために、本考案に係るヘッドホンは、ヘッドバンド及び音出力モジュールを備える。音出力モジュールは、ヘッドバンドの端部に装着され且つハウジング及びスピーカーを含み、ハウジング及びスピーカーは対向するように一体に固定され、且つ切り換えられて使用される。
【考案の効果】
【０００５】
従来の技術と異なり、本考案のヘッドホンは、ハウジング及びスピーカーから構成された音出力モジュールが、ヘッドバンドの両端にそれぞれ回転可能に装着されている。これにより、ユーザは、ハウジングを介して音楽を聴くことができるだけでなく、スピーカーを介して音楽を外へ流すこともできる。従って、本考案のヘッドホンは、従来のイヤホンの機能及び音を外へ流す機能の両方を兼ね備える。しかも、本考案のヘッドホンの２つの音出力モジュールは、連接部品によって所定の角度まで回転することができるため、使用に便利である。
【図面の簡単な説明】
【０００６】
【図１】本考案の実施形態に係るヘッドホンの斜視図である。
【図２】図１に示したヘッドホンの分解斜視図である。
【図３】図１に示したヘッドホンのスピーカーの使用状態を示す図である。
【図４】図１に示したヘッドホンがユーザにより携帯されている際の状態を示す図である。
【図５】図１に示したヘッドホンの回路の機能モジュールを示す図である。
【考案を実施するための形態】
【０００７】
図１及び図５に示すように、本考案の実施形態に係るヘッドホン１００は、ヘッドバンド１０と、２つの連接部品２０と、２つの音出力モジュール３０と、回路機能モジュール４０と、を備える。２つの連接部品２０は、ヘッドバンド１０の両端にそれぞれ設置されており、該２つの音出力モジュール３０は、２つの連接部品２０にそれぞれ装着されている。回路機能モジュール４０は、ヘッドバンド１０に設置され、且つ音出力モジュール３０に電気的に接続されている。
【０００８】
図２に示すように、ヘッドバンド１０は、ユーザの頭に掛けて、ヘッドホン１００をユーザの頭に装着することに用いられる。ヘッドバンド１０は、本体部１１及びパッド１３を含む。本体部１１は、ほぼ「Ｕ」字状を呈し、且つ樹脂、皮又は弾性を有する金属シート等のフレキシブル材料によって製造される。これによって、ヘッドホン１００は、異なるユーザの頭に適用することができる。パッド１３は、本体部１１の内面に固定され、且つスポンジ等の弾性材料により製造される。これにより、パッド１３は、ヘッドホン１００を掛けた際の心地良さを高めることができる。また、本体部１１の両端には、２つの連接部品２０を装着するための取付孔１１１がそれぞれ設けられている。
【０００９】
本実施形態において、各連接部品２０は、第一連接部２１及び第一連接部２１に連接されている第二連接部２３を含む。第一連接部２１は、連接アーム２１１及び連接端２１３を含む。連接アーム２１１は、本体部１１の取付孔１１１内に伸縮可能に、且つ回転可能に装着される。これによって、第一連接部２１は、本体部１１に対して伸縮及び回転することができる。連接端２１３は、連接アーム２１１の一端に固定されて、第二連接部２３を装着するために用いられる。第二連接部２３は、固定部２３１及び装着部２３３を含む。固定部２３１は、第一連接部２１の連接端２１３に固定され、装着部２３３は、固定部２３１の一方側に固定される。より詳細には、装着部２３３は、中空の環状構造であり、音出力モジュール３０を装着するために用いられる。連接部品２０がヘッドバンド１０に装着された後、連接部品２０は本体部１１に対して伸縮又は回転して、音出力モジュール３０を所定の角度に位置決めすることができる。
【００１０】
各音出力モジュール３０は、１つの連接部品２０に装着され、且つハウジング３１及びスピーカー３３を備える。ハウジング３１及びスピーカー３３は、プラスチック、金属又は合金材料により製造される。本実施形態において、ハウジング３１及びスピーカー３３は、全て円形の構造であり、且つ装着部２３３の両側にそれぞれ装着されて、協働して音出力モジュール３０を構成する。ハウジング３１は、ユーザの耳に密着して、ユーザの耳に音楽等の音を出力する。スピーカー３３は、外部へ音を出力する。ハウジング３１及びスピーカー３３は、ヘッドホン１００を用いた電子装置にインストールされたソフトウェア又は電子装置に設けられた切換スイッチを介して切り換えられて使用される。
【００１１】
スピーカー３３が動作する際、音出力モジュール３０は小型の音響装置として、電子装置からの音を外部へ伝える。
【００１２】
変形例として、ハウジング３１及びスピーカー３３は、正方形等の他の形状であっても良い。また、連接部品２０の数は、１つであっても良いが、これに対応して、音出力モジュール３０の数も１つである。また、第二連接部２３を省略して、音出力モジュール３０を第一連接部２１に直接装着しても良い。
【００１３】
図５に示すように、回路機能モジュール４０は、音出力モジュール３０に信号を入力して、音出力モジュール３０を介して音を出力する。具体的には、回路機能モジュール４０は、プロセッサ４１と、プロセッサ４１にそれぞれ電気的に接続されるデータ端子４２、メモリカードスロット４３、切換スイッチ４４、音声入力端子４５及び通信モジュール４６と、を含む。プロセッサ４１は、ヘッドバンド１０の本体部１１の内部に設けられている。データ端子４２は、外部の電子装置に電気的に接続されて、データ／音響信号を伝送するか又は外部の電源に挿入されて充電される。メモリカードスロット４３には、データを格納するためのメモリーカードが装着される。切換スイッチ４４は、ハウジング３１とスピーカー３３とを切り換えて、ハウジング３１又はスピーカー３３を選択する。音声入力端子４５は、ユーザからの音声情報を受信する。本実施形態において、音声入力端子４５は、マイクであり、且つ音出力モジュール３０に隣接して設けられている。通信モジュール４６は、ブルートゥース（登録商標）であり、且つ外部の電子装置と無線接続されている。
【００１４】
ヘッドホン１００を組み立てる場合、先ず、ハウジング３１及びスピーカー３３を第二連接部２３の装着部２３３の両側にそれぞれ装着する。次に、第二連接部２３を介して音出力モジュール３０の全体を対応する第一連接部２１にそれぞれ装着する。最後に、各第一連接部２１をヘッドバンド１０に回転可能に装着する。
【００１５】
図１及び図４に示すように、ヘッドホン１００が、データ端子４２を介して電子装置と接続関係を確立し、又は通信モジュール４６を介して電子装置とワイヤレス接続関係が確立されると、ユーザは、ヘッドホン１００のハウジング３１を介して音楽を聴くことができる。また、ユーザは音楽を外へ流したい場合、ヘッドホン１００を頭から取り外して、ヘッドホン１００を適当な位置に置き、連接部品２０によって音出力モジュール３０をヘッドバンド１０に対して適当な角度に回転させて、２つの音出力モジュール３０のスピーカー３３を互いに向き合うように設置する。その後、切換スイッチ４４又は電子装置の内部のソフトウェアを介してスピーカー３３を選択して起動させて、音楽を外へ流す。
【００１６】
電子装置に電話が入った場合は、ユーザは直接電話に出て、スピーカー３３によって通話中の音量を上げることもできる。また、ユーザは、音出力モジュール３０に隣接する音声入力端子４５を介して通話することができるため非常に便利である。
【００１７】
また、ユーザは、ヘッドホン１００を携帯する場合、連接部品２０によって２つの音出力モジュール３０をヘッドバンド１０の内側に向かって回転させて、２つの音出力モジュール３０をヘッドバンド１０の内部空間に収容させる。これにより、ヘッドホン１００の体積は縮小され、容易にヘッドホン１００を携帯することができる。
【符号の説明】
【００１８】
１０  ヘッドバンド
１００  ヘッドホン
１１  本体部
１１１  取付孔
１３  パッド
２０  連接部品
２１  第一連接部
２１１  連接アーム
２１３  連接端
２３  第二連接部
２３１  固定部
２３３  装着部
３０  音出力モジュール
３１  ハウジング
３３  スピーカー
４０  回路機能モジュール
４１  プロセッサ
４２  データ端子
４３  メモリカードスロット
４４  切換スイッチ
４５  音声入力端子
４６  通信モジュール
【図１】
0003196657.tif 000003
【図２】
0003196657.tif 000004
【図３】
0003196657.tif 000005
【図４】
0003196657.tif 000006
【図５】
0003196657.tif 000007